(57)【要約】【課題】屈曲内周側の電線にかかるストレスを可及的に軽減することができる電線横出しコネクタを提供する。【解決手段】コネクタハウジング１２の内部に横一列に複数の端子１３が配列され、各端子１３からコネクタハウジングの後方にそれぞれ延びる電線Ｗが、コネクタハウジングの後端１２ｂより外部に出た後、すぐにコネクタハウジングの横方向に屈曲させられて引き延ばされた電線横出しコネクタ１１において、コネクタハウジングの後端を斜めに形成することで、同後端の位置を、屈曲内周側の電線に接続された端子が位置する側ほど、屈曲外周側の電線に接続された端子が位置する側よりも、コネクタハウジングの前端１２ａ側に設定した。【選択図】図１
2009054356.tif 000002
【特許請求の範囲】
【請求項１】
コネクタハウジングの内部に横一列に複数の端子が配列され、該各端子から前記コネクタハウジングの後方にそれぞれ延びる電線が、該コネクタハウジングの後端より外部に出た後、すぐに前記コネクタハウジングの横方向に屈曲させられて引き延ばされた電線横出しコネクタにおいて、
前記コネクタハウジングの後端の位置を、前記屈曲内周側の電線に接続された端子が位置する側ほど、前記屈曲外周側の電線に接続された端子が位置する側よりも、前記コネクタハウジングの前端側に設定したことを特徴とする電線横出しコネクタ。
【請求項２】
請求項１に記載の電線横出しコネクタであって、
前記屈曲内周側の電線に接続された端子が位置する側のコネクタ長が前記屈曲外周側の電線に接続された端子が位置する側のコネクタ長よりも短くなるように、前記コネクタハウジングの後端を前記端子の配列方向に平行な方向に対して斜めに形成することで、前記コネクタハウジングの後端の位置を、前記屈曲内周側の電線に接続された端子が位置する側ほど、前記屈曲外周側の電線に接続された端子が位置する側よりも、コネクタハウジングの前端側に設定したことを特徴とする電線横出しコネクタ。
【請求項３】
請求項１に記載の電線横出しコネクタであって、
前記屈曲内周側の電線に接続された端子が位置する側のコネクタ長が前記屈曲外周側の電線に接続された端子が位置する側のコネクタ長よりも短くなるように、前記コネクタハウジングの後端を階段状に形成することで、前記コネクタハウジングの後端の位置を、前記屈曲内周側の電線に接続された端子が位置する側ほど、前記屈曲外周側の電線に接続された端子が位置する側よりも、コネクタハウジングの前端側に設定したことを特徴とする電線横出しコネクタ。
【請求項４】
請求項２または３に記載の電線横出しコネクタであって、
前記コネクタハウジングの横方向に配列された複数の端子の長さを、前記コネクタ長の変化に対応させて、互いに異ならせたことを特徴とする電線横出しコネクタ。
【発明の詳細な説明】
【技術分野】
【０００１】
本発明は、コネクタハウジングの後端から引き出した電線を、すぐに横方向に屈曲させて引き延ばした電線横出しコネクタに関するものである。
【背景技術】
【０００２】
電線の配索レイアウト上の都合などにより、コネクタハウジングの後端から引き出した電線を、すぐに横方向に屈曲させて引き延ばした電線横出しコネクタが知られている（例えば、特許文献１参照）。
【０００３】
図７はその種の電線横出しコネクタの一例を示す平面図である。この電線横出しコネクタ１は、前端２ａと後端２ｂが互いに平行に形成された直方体形状のコネクタハウジング２の内部に、横一列に複数の端子３を配列し、各端子３からコネクタハウジング２の後方にそれぞれ延びた電線Ｗを、コネクタハウジング２の後端２ｂより外部に引き出した後、すぐにコネクタハウジング２の横方向に屈曲させた構成をなしている。そして、屈曲させた後に平行になった位置で、電線Ｗをテープ等の保護部材５でまとめて束にしている。
【特許文献１】特開２００１−１１８６５８号公報
【発明の開示】
【発明が解決しようとする課題】
【０００４】
ところで、このような電線横出しコネクタ１の場合、コネクタハウジング２から出てきた電線Ｗを、すぐに横方向に屈曲させているので、屈曲内周側に位置する電線Ｗと屈曲外周側に位置する電線Ｗとの間に、力が加わった際の条件の差が出てくる。
【０００５】
即ち、図７のＡ、Ｂ、Ｃ、Ｄの各位置に並んだ端子３にそれぞれ接続された電線ＷをＡの方向に屈曲させた場合、Ａの位置の端子３に接続された電線Ｗが屈曲最内周側の電線、Ｄの位置の端子３に接続された電線Ｗが屈曲最外周側の電線となるが、これらの電線Ｗは、屈曲方向に対するコネクタハウジング２から出てくる位置の関係で、保護部材５までの長さが異なる。
【０００６】
従って、保護部材５でまとめた電線Ｗの束に矢印Ｙで示す方向の引張力が加わった際には、余裕長の短い屈曲内周側の電線Ｗに負荷が集中しがちになる。例えば、Ａの位置の端子３に接続された電線Ｗは、Ｄの位置の端子３に接続された電線Ｗよりも、強度的に大きなストレスを受けることになる。
【０００７】
本発明は、上記事情を考慮し、屈曲内周側の電線にかかるストレスをできるだけ軽減することのできる電線横出しコネクタを提供することを目的とする。
【課題を解決するための手段】
【０００８】
請求項１の発明は、コネクタハウジングの内部に横一列に複数の端子が配列され、該各端子から前記コネクタハウジングの後方にそれぞれ延びる電線が、該コネクタハウジングの後端より外部に出た後、すぐに前記コネクタハウジングの横方向に屈曲させられて引き延ばされた電線横出しコネクタにおいて、前記コネクタハウジングの後端の位置を、前記屈曲内周側の電線に接続された端子が位置する側ほど、前記屈曲外周側の電線に接続された端子が位置する側よりも、前記コネクタハウジングの前端側に設定したことを特徴とする。
【０００９】
請求項２の発明は、請求項１に記載の電線横出しコネクタであって、前記屈曲内周側の電線に接続された端子が位置する側のコネクタ長が前記屈曲外周側の電線に接続された端子が位置する側のコネクタ長よりも短くなるように、前記コネクタハウジングの後端を前記端子の配列方向に平行な方向に対して斜めに形成することで、前記コネクタハウジングの後端の位置を、前記屈曲内周側の電線に接続された端子が位置する側ほど、前記屈曲外周側の電線に接続された端子が位置する側よりも、コネクタハウジングの前端側に設定したことを特徴とする。
【００１０】
請求項３の発明は、請求項１に記載の電線横出しコネクタであって、前記屈曲内周側の電線に接続された端子が位置する側のコネクタ長が前記屈曲外周側の電線に接続された端子が位置する側のコネクタ長よりも短くなるように、前記コネクタハウジングの後端を階段状に形成することで、前記コネクタハウジングの後端の位置を、前記屈曲内周側の電線に接続された端子が位置する側ほど、前記屈曲外周側の電線に接続された端子が位置する側よりも、コネクタハウジングの前端側に設定したことを特徴とする。
【００１１】
請求項４の発明は、請求項２または３に記載の電線横出しコネクタであって、前記コネクタハウジングの横方向に配列された複数の端子の長さを、前記コネクタ長の変化に対応させて、互いに異ならせたことを特徴とする。
【発明の効果】
【００１２】
請求項１の発明によれば、屈曲内周側の電線に接続された端子が位置する側ほど、屈曲外周側の電線に接続された端子が位置する側よりも、コネクタハウジングの後端の位置を前端側に設定したので、屈曲内周側の電線の余裕長を延ばすことができる。従って、余裕長が延びた分だけ、電線に作用する引張荷重を吸収する自由度が大きくなり、強度的なストレスを軽減することができる。そのため、例えば屈曲内周側の電線に細径電線を使用した場合にも、電線の破断防止を図ることができる。また、コネクタハウジングの後端の位置を前側にずらすことにより、コネクタハウジングの小型・軽量化にも寄与することができる。
【００１３】
請求項２の発明によれば、コネクタハウジングの後端を斜めに形成するだけで、簡単に屈曲内周側の電線の余裕長を延ばすことができる。
【００１４】
請求項３の発明によれば、コネクタハウジングの後端を階段状に形成するだけで、簡単に屈曲内周側の電線の余裕長を延ばすことができる。
【００１５】
請求項４の発明によれば、端子の長さをコネクタ長の変化に対応させたので、コネクタハウジングに対する端子の納まりを良くすることができる。
【発明を実施するための最良の形態】
【００１６】
以下、本発明の各実施形態を図面を参照しながら説明する。
【００１７】
図１は実施形態の電線横出しコネクタとしてのメスコネクタ１１と、それに組み合わさるオスコネクタ１１１の関係を示す平面図である。
【００１８】
このメスコネクタ１１では、コネクタハウジング１２の内部に横一列に複数の端子１３が配列されており、各端子１３からコネクタハウジング１２の後方にそれぞれ延びる電線Ｗが、コネクタハウジング１２の後端１２ｂより外部に出た後、すぐにコネクタハウジング１２の横方向に屈曲させられて引き延ばされている。そして、電線Ｗは、屈曲させられた後に平行になった部分で、テープ等の保護部材５でまとめられて束になっている。
【００１９】
端子１３の配置されたコネクタハウジング１２の位置を順番にＡ、Ｂ、Ｃ、Ｄとすると、電線ＷはＡの方向に向けて屈曲させられており、Ａの位置の端子１３に接続された電線Ｗが屈曲最内周側、Ｄの位置の端子１３に接続された電線Ｗが屈曲最外周側となっている。
【００２０】
コネクタハウジング１２は、前端１２ａが端子１３の配列方向に平行（端子１３の挿入方向に垂直）に形成されているものの、後端１２ｂが、屈曲内周側の電線Ｗに接続された端子１３が位置する側のコネクタ長ＬＡが屈曲外周側の電線Ｗに接続された端子１３が位置する側のコネクタ長ＬＤよりも短くなるように、端子１３の配列方向に平行な方向に対して斜めに形成されている。そして、それにより、コネクタハウジング１２の後端１２ｂの位置が、屈曲内周側の電線Ｗに接続された端子１３が位置する側ほど、屈曲外周側の電線Ｗに接続された端子１３が位置する側よりも、コネクタハウジング１２の前端１２ａ側に設定されている。
【００２１】
また、コネクタハウジング１２の横方向に配列された複数の端子１３の長さが、コネクタ長の変化に対応させて順番に異なっている。つまり、「Ａの位置の端子の長さ」＜「Ｂの位置の端子の長さ」＜「Ｃの位置の端子の長さ」＜「Ｄの位置の端子の長さ」の関係になっている。
【００２２】
また、嵌合相手のオスコネクタ１１１は、メスコネクタ１１のコネクタハウジング１２に嵌合されるコネクタハウジング１１２の内部に、相手端子１３と接続される端子１１３を配列したものである。このオスコネクタ１１１のコネクタハウジング１１２は、嵌合時に、メスコネクタ１１のコネクタハウジング１２の後端１２ｂ側に位置する前端１１２ａが、メスコネクタ１１のコネクタハウジング１２の後端１２ｂの形状に合わせて斜めに形成され、メスコネクタ１１のコネクタハウジング１２の前端１２ａ側に位置する後端１１２ｂが、メスコネクタ１１のコネクタハウジング１２の前端１２ａの形状に合わせて、端子１１３の配列方向に平行に形成されている。
【００２３】
また、コネクタハウジング１１２の横方向に配列された複数の端子１１３の長さが、コネクタ長の変化に対応させて順番に異なっている。つまり、「Ａの位置の端子の長さ」＜「Ｂの位置の端子の長さ」＜「Ｃの位置の端子の長さ」＜「Ｄの位置の端子の長さ」の関係になっている。
【００２４】
このように構成されたメスコネクタ１１の場合、図示するように、コネクタハウジング１２の後端１２ｂの位置を、屈曲内周側の電線Ｗに接続された端子１３が位置する側ほど、屈曲外周側の電線Ｗに接続された端子１３が位置する側よりも、前端１２ａ側に設定していることから、屈曲内周側の電線Ｗの余裕長（コネクタハウジング１２の後端１２ｂを出てから保護部材５でまとめられるまでの長さ）を従来よりも延ばすことができる。特にコネクタハウジング１２の後端１２ｂを斜めに形成するだけでよいから、簡単に屈曲内周側の電線Ｗの余裕長を延ばすことができる。
【００２５】
従って、余裕長が延びた分だけ、電線Ｗの束に矢印Ｙ方向の引張力が加わった際の、各電線Ｗに作用する引張荷重を吸収する自由度が大きくなり、強度的なストレスを軽減することができる。そのため、例えば屈曲内周側の電線Ｗに細径電線を使用した場合にも、電線Ｗの破断防止を図ることができる。また、コネクタハウジング１２の後端１２ｂの位置を前端１２ａ側にずらしていることにより、コネクタハウジング１２の小型・軽量化にも寄与することができる。
【００２６】
また、この実施形態のメスコネクタ１１の場合、端子１３の長さをコネクタハウジング１２の横方向におけるコネクタ長の変化に対応させているので、コネクタハウジング１２に対する端子１３の納まりを良くすることができる。
【００２７】
なお、端子１３の長さは、別に異ならせないでもよい。
【００２８】
図２は、コネクタハウジング１２を共通にして、端子１３の長さだけを全部揃えた場合の第２実施形態のメスコネクタ２１とオスコネクタ１２１の組み合せを示している。
【００２９】
また、上記第１、第２実施形態では、コネクタ長を変化させるためにコネクタハウジング１２の後端１２ｂを斜めに形成した場合を示したが、図３、図４に示す第３、第４実施形態のメスコネクタ３１、４１のように、コネクタハウジング３２の後端３２ｂの形状を階段状に形成することで、屈曲内周側のコネクタ長ＬＡを屈曲外周側のコネクタ長ＬＤよりも短くなるように設定し、それによりコネクタハウジング３２の後端３２ｂの位置を、屈曲内周側の電線Ｗに接続された端子１３が位置する側ほど、屈曲外周側の電線Ｗに接続された端子１３が位置する側よりも、コネクタハウジング３２の前端３２ａ側に設定してもよい。この場合、コネクタ長を短くする範囲は、屈曲内周側の１端子分であっても、２端子分であってもよい。また、この場合のコネクタハウジング３２の前端３２ａは、端子１３の配列方向に対し平行に形成されている。
【００３０】
また、コネクタハウジング３２の横方向に配列された複数の端子１３の長さは、図３に示すように、コネクタ長の変化に対応させて異ならせてもよいし、図４に示すように、全部揃えてもよい。
【００３１】
図２〜図４のいずれの実施形態の場合も、図１の実施形態と同様の効果（屈曲内周側の電線Ｗに対するストレスを軽減できるという効果）を奏することができる。
【００３２】
また、メスコネクタとオスコネクタのコネクタハウジングの組み合わせは任意であり、図５に示すように、後端が斜めにカットされたメスコネクタ１１、２１に対しては、前端が斜めにカットされたオスコネクタ１１１、１２１の他に、通常の平面長方形のオスコネクタ１３１を組み合わせることができるし、図６に示すように、後端が階段状にカットされたメスコネクタ３１、４１に対しては、前端が階段状にカットされたオスコネクタ１４１の他に、通常の平面長方形のオスコネクタ１３１や前端が斜めにカットされたオスコネクタ１１１、１２１を組み合わせることができる。
【図面の簡単な説明】
【００３３】
【図１】本発明の第１実施形態のメスコネクタの構成を示す平面図である。
【図２】本発明の第２実施形態のメスコネクタの構成を示す平面図である。
【図３】本発明の第３実施形態のメスコネクタの構成を示す平面図である。
【図４】本発明の第４実施形態のメスコネクタの構成を示す平面図である。
【図５】第１、第２実施形態のメスコネクタに対して組み合わせることのできるオスコネクタの形状の種類を示す図である。
【図６】第２、第３実施形態のメスコネクタに対して組み合わせることのできるオスコネクタの形状の種類を示す図である。
【図７】従来の電線横出しコネクタの一例を示す平面図である。
【符号の説明】
【００３４】
１１，２１，３１，４１  メスコネクタ（電線横出しコネクタ）
１２，３２  コネクタハウジング
１２ｂ，３２ｂ  後端
１３  端子
Ｗ  電線
【図１】
2009054356.tif 000003
【図２】
2009054356.tif 000004
【図３】
2009054356.tif 000005
【図４】
2009054356.tif 000006
【図５】
2009054356.tif 000007
【図６】
2009054356.tif 000008
【図７】
2009054356.tif 000009